(57)【要約】      （修正有）【課題】自動販売機の硬貨投入口に入れ損なった硬貨の地上への落下を防止できる硬貨受器型硬貨落下防止装置を提供する。【解決手段】自動販売機硬貨投入口５の下部に設けられる硬貨受器型硬貨落下防止装置７であって、当該硬貨受器は前記投入口側が開口した円柱形状であって、底部には水抜き穴空き部８を有することを特徴とする。【選択図】図４
0003207326.tif 000002
【実用新案登録請求の範囲】
【請求項１】
自動販（券）売機等硬貨等投入口入れ損ん時の地上落下防止投入口直下部設置受器型防止装置
【考案の詳細な説明】
【技術分野】
【０００１】  本考案は、自動販（券）売機等硬貨等落下防止装置に関するものである。
【背景技術】
【０００２】  日常において自動販（券）売機等硬貨口に硬貨等を投入する際入れ損じ地面に落下することがある。これを防止する装置である。
【考案の概要】
【考案が解決しようとする課題】
【０００３】  現状の清涼飲料水・タバコ・新聞・乗車券等の自動販売機や食券・遊戯機・パチンコ機等（以下、自動販（券）売機等と称する）の硬貨やコイン（以下硬貨等と称する）を投入口に硬貨等を投入する際、健常者でも入れ損ない地上に落下させる時がある。まして高齢化時代でもあり車椅子使用者、手の不自由な身体障害者の方が多々より生じ硬貨を地上に落下させることがありこれを防止するものである。またこの落下防止受け皿に硬貨をこの受け器に硬貨等を入れておき投入口に個々投入に利用も可能である。落下防止受け皿の材質は、自動販（券）売機からの突起物となるが最近盗難防止の為の強固な鉄製鎖が自動販売機前面に装備されており突起しており問題ないと思われる。材質はプラスチック製ならば破損し易いので金属製か硬質ゴム製とし更に雨雪により底に水が溜るので底部に穴を空け水が落下する形態とする。
【課題を解決するための手段】
【０００４】  自動販（券）売機等に硬貨等投入口入れ損ん時の地上落下防止投入口直下部設置受器型防止装置【０００５】  自動販（券）売機等の硬貨投入口に硬貨を入れ損なった硬貨等の地上への落下を防止する硬貨投入口直下部に落下硬貨の受け口を設けることにより地上への落下を防止出来る。
【考案の効果】
【０００６】  自動販（券）売機等の硬貨等投入口に硬貨を投入する際硬貨等を投入口に入れ損なった硬貨等が地上に落下すのを防止するものである。
【図面の簡単な説明】
【０００７】
【図】  本考案に係る自動販（券）売機等の硬貨等投入口直下に設けた硬貨等落下防止装置である。
【符号の説明】
【０００８】図１  自動販（券）売機全体図
図２  硬貨投入口
図３  硬貨落下防止受け器
図４  断面図
【考案を実施するための形態】
【０００９】  （１）は自動販売機本体である。（２）は硬貨投入口である。（３）は（硬貨等落下防止受け器である。（３）アは自動販売機の硬貨投入口でその横幅は平均２，５ｃｍで縦幅は５ｍｍである。▲２▼イは今回設置する硬貨落下防止装置との間隔でその幅は約１０ｃｍとする。（３）ウは硬貨落下防止装置でその横幅は６ｃｍ縦幅は４ｃｍとする。（４）は断面図である。▲４▼は全体図であり▲５▼は硬貨投入口で▲６▼は硬投入口と硬貨落下防止装置との間隔である。▲７▼は硬貨落下防止装置である。▲８▼エは硬貨落下防止装置の底部の水抜き穴空き部である。
以下扱い方について説明する。現状の自動販売（券）売機等に硬貨等を投入する際健常者でも硬貨等を入れ損ない地上に落下させる場合がある。高齢者やお身体の不自由な身障者の方の投入損じと硬貨を一度硬貨落下防止装置器に硬貨等を入れ置き個々に硬貨を投入口に投入できるのである。また雨雪の水が溜まり使用者が困るので底に穴を空けると硬貨等が濡れなのである。
【図１】
0003207326.tif 000003
【図２】
0003207326.tif 000004
【図３】
0003207326.tif 000005
【図４】
0003207326.tif 000006
【手続補正書】
【提出日】平成28年6月15日(2016.6.15)
【手続補正１】
【補正対象書類名】実用新案登録請求の範囲
【補正対象項目名】全文
【補正方法】変更
【補正の内容】
【実用新案登録請求の範囲】
【請求項１】
自動販売機硬貨投入口入れ損ん時の地上落下防止投入口直下部設置硬質材受器型防止装置
【手続補正３】
【補正対象書類名】明細書
【補正対象項目名】全文
【補正方法】変更
【補正の内容】
【考案の詳細な説明】
【技術分野】
【０００１】  本考案は、自動販売機硬貨落下防止装置に関するものである。
【背景技術】
【０００２】  日常において自動販売機硬貨口に硬貨を投入する際入れ損じ地面に落下することがある。これを防止する装置である。
【考案の概要】
【考案が解決しようとする課題】
【０００３】  現状の清涼飲料水・タバコ・新聞・乗車券等の自動販売機・食券・遊戯機・パチンコ機の硬貨を投入口に硬貨を投入する際、健常者でも入れ損ない地上に落下させる時がある。まして高齢化時代でもあり車椅子使用者、手の不自由な身体障害者の方がより多く入れ損じが生じ硬貨を地上に落下させることがありこれを防止するものである。またこの落下防止受け皿に硬貨を入れておき投入口に個々投入に利用も可能である。落下防止受け皿の材質は、自動販売機からの突起物となるが最近盗難防止の為の強固な鉄製鎖が自動販売機前面に装備されこれが突起しており問題ないと思われる。材質はプラスチック製ならば破損し易いので金属製か硬質ゴム製とし更に雨雪により底に水が溜るので底部に穴を空け水が落下する形態とする。
【課題を解決するための手段】
【０００４】  自動販売機に硬貨投入口入れ損ん時の地上落下防止投入口直下部設置受器型防止装置【０００５】  自動販売機の硬貨投入口に硬貨を入れ損なった硬貨の地上への落下を防止する硬貨投入口直下部に落下硬貨の受け器を設けることにより地上への落下を防止出来る。
【考案の効果】
【０００６】  自動販売機の硬貨投入口に硬貨を投入する際硬貨を投入口に入れ損なった硬貨が地上に落下すのを防止するものである。
【図面の簡単な説明】
【０００７】
【図１】  市中の一般的な自動販売機本体である。
【図２】  市中の一般的な自動販売機本体硬貨投入口である。
【図３】  投入口硬貨落下防止受け器である。アは現存の自動販売機の硬貨投入口で平均その横幅は平均２，５ｃｍで縦幅は５ｍｍである。▲２▼イは今回設置する硬貨落下防止装置との間隔でその幅は約１０ｃｍとする。（３）ウは硬貨落下防止装置でその横幅は約６ｃｍ縦幅は約４ｃｍとする。
【図４】  断面図  ▲４▼は自動販売機全体図であり  ▲５▼は硬貨投入口  ▲６▼は硬投入口と硬貨落下防装置との間隔である。▲７▼は硬貨落下防止装置である。▲８▼エは硬貨落下防止装置の底部の水抜き穴空き部である。
【考案を実施するための形態】
【０００８】  現状の自動販売機の硬貨投入口には硬貨を入れ損じた際には、硬貨は地上に落下するのでそれを防止する設備である。
以下扱い方について説明する。現状の自動販売売機等に硬貨等を投入する際に
健常者でも硬貨を入れ損ない地上に落下させる場合がある。高齢者やお身体の不自由な身障者の方の投入損じと硬貨を一度硬貨落下防止装置器に硬貨等を入れ置き個々に硬貨を投入口に投入できるのである。また雨雪の水が溜まり使用者が困るので底に穴を空け雨雪が濡れる形体とする。
【手続補正書】
【提出日】平成28年8月18日(2016.8.18)
【手続補正１】
【補正対象書類名】実用新案登録請求の範囲
【補正対象項目名】全文
【補正方法】変更
【補正の内容】
【実用新案登録請求の範囲】
【請求項１】
自動販売機硬貨投入口の下部に設けられる硬貨受器型硬貨落下防止装置であって、当該硬貨受器は前記投入口側が開口した円柱形状であって、底部には水抜き穴空き部を有することを特徴とする、硬貨受器型硬貨落下防止装置。